(57)【要約】本願は、消音装置を提供し、該消音装置は、内部に気流通路（１４）が設けられた筐体（１）であって、気流通路（１４）により連通される吸気口（１０）及び排気口（１２）が設けられている筐体（１）と、筐体（１）に設けられ、筐体（１）内の油を排出する油孔（２）と、筐体（１）に設けられ、且つ筐体（１）の外側に位置する油ガイド部（３）であって、油が油孔（２）から油ガイド部（３）まで流れた後に滴下するように、油の滴下方向に沿って油孔（２）の下方に設けられた油ガイド部（３）とを備える。油ガイド部（３）が油の表面吸着力を増加させることにより、油がよりよく集まるようになり、集まった油滴が一定の重力に達すると、圧縮機の筐体の底部に素早く滴入することができ、圧縮機の油吐出量が効果的に低下され、内部の油循環の安定性が保証され、圧縮機のノイズを低下するのに有利である。【選択図】図１
2021529284.tif 000002
【特許請求の範囲】
【請求項１】
内部に気流通路が設けられた筐体であって、前記気流通路により連通される吸気口及び排気口が設けられている筐体と、
前記筐体に設けられ、前記筐体内の油を排出する油孔と、
前記筐体に設けられ、且つ前記筐体の外側に位置する油ガイド部であって、油が前記油孔から前記油ガイド部まで流れた後に滴下するように、油の滴下方向に沿って前記油孔の下方に設けられた油ガイド部とを備える消音装置。
【請求項２】
前記油孔は、前記筐体の側壁に設けられ、
前記油ガイド部は、前記筐体の底壁に位置する請求項１に記載の消音装置。
【請求項３】
前記筐体は、吸気パイプと、排気パイプとを備え、
前記吸気口は前記吸気パイプに設けられ、前記吸気パイプにより前記気流通路と連通されており、
前記排気口は前記排気パイプにより前記気流通路と連通されており、
前記油孔は、前記吸気パイプの吸気方向に沿った延在方向上に設けられている請求項１に記載の消音装置。
【請求項４】
前記筐体に設けられ、前記油孔の周辺側に位置する油バッフルをさらに備える請求項１に記載の消音装置。
【請求項５】
前記油バッフルは、弧状であり、前記油孔の周方向に沿って設けられ、
前記油バッフルには開口が設けられ、前記開口は前記油ガイド部に向かって設けられる請求項４に記載の消音装置。
【請求項６】
前記油孔の数は、少なくとも１つであり、
前記油ガイド部の数は、少なくとも１つであり、
前記油孔は、前記油ガイド部と１対１で対応するように設けられる請求項１から請求項５の何れか一項に記載の消音装置。
【請求項７】
前記油ガイド部の形状は、直方体、柱体、錐台、錐体の何れか１つである請求項１から請求項５の何れか一項に記載の消音装置。
【請求項８】
前記油ガイド部は、直方体であり、
前記直方体の油の滴下方向に沿う長さが、前記直方体の横断面の幅に等しい請求項７に記載の消音装置。
【請求項９】
前記油ガイド部は、錐台であり、
前記錐台の横断面積は、油の滴下方向に沿って徐々に減少する請求項７に記載の消音装置。
【請求項１０】
前記錐台の油の滴下方向に沿う高さが、２ｍｍ以上３ｍｍ以下である、及び/又は
前記錐台は円錐台であり、前記円錐台の一方の底面の直径は１ｍｍ以上２ｍｍ以下であり、他方の底面の直径は０．５ｍｍ以上１ｍｍ以下である、及び/又は
前記錐台のドラフト角度は、１０°以上３０°以下である請求項９に記載の消音装置。
【請求項１１】
前記筐体と前記油ガイド部は、一体構造又は分割構造である請求項１から請求項５の何れか一項に記載の消音装置。
【請求項１２】
ハウジングと、
前記ハウジング内に設けられた請求項１から請求項１１の何れか一項に記載の消音装置とを備えた圧縮機であって、
前記消音装置から滴下した油が前記圧縮機の油プール内に落下することができる圧縮機。
【発明の詳細な説明】
【技術分野】
【０００１】
本願は、２０１９年０２月２０日に中国特許庁に提出された、出願番号が２０１９１０１２５３９９．９であり、発明の名称が「消音装置及び圧縮機」である中国特許出願の優先権を主張し、その内容の全てを援用することにより本願に取り入れる。
【０００２】
本願は、圧縮機の技術分野に関し、具体的には、消音装置及び圧縮機に関する。
【背景技術】
【０００３】
現在、圧縮機の小型化及び高効率化がトレンドになっているが、一連の問題、例えば吸気効率の低下、ノイズの増加、油吐出量の増加などの問題がもたらされている。しかし、性能、ノイズ、及び油吐出量は、常に圧縮機を評価するための重要なパラメーターである。ノイズが大きいと、圧縮機の品質と評判に影響を与え、油吐出量が多いと、圧縮機の性能に影響を与えるとともに、「氷の詰まり」を引き起こすことさえある。関連技術では、消音器の入口から消音室に入ったガスが消音空間へ放出される途中において、冷媒ガスの流速が低下して、一部の冷凍油の分離を実行することができるが、ほとんどの冷媒ガスは依然として圧縮室に入る。従来の吸気消音器は、内部形状を維持したまま小型化を図っているため、十分な消音量が得られず、脈動音を減衰することができないと同時に、冷凍油を多く含む冷媒ガスが圧縮され、圧縮性能が悪くなる。
【発明の概要】
【０００４】
本願は、従来技術又は関連技術における技術的課題の少なくとも１つを解決することを目的とする。
【０００５】
そのため、本願の第１の態様は、消音装置を提供する。
【０００６】
本願の第２の態様は、圧縮機をさらに提供する。
【０００７】
これに鑑みて、本願の第１の態様は、消音装置を提供し、該消音装置は、内部に気流通路が設けられた筐体であって、気流通路により連通される吸気口及び排気口が設けられている筐体と、筐体に設けられ、筐体内の油を排出する油孔と、筐体に設けられ、且つ筐体の外側に位置する油ガイド部であって、油が油孔から油ガイド部まで流れた後に滴下するように、油の滴下方向に沿って油孔の下方に設けられた油ガイド部とを備える。
【０００８】
本願にて提供される消音装置は、筐体と、筐体に設けられた油孔と、筐体に設けられた油ガイド部とを備え、筐体には吸気口と排気口が設けられている。冷媒ガスは、吸気口から入り、気流通路を通過し、且つ気流通路内で油とガスとに分離され、その後、排気口から流出し、分離された油が油孔から流出する。油ガイド部は筐体の外側に設けられ、且つ油孔の下方に位置するため、油が油孔から流出した後、油ガイド部に流れる。油ガイド部は油の表面吸着力を増加させ、油をよりよく集まるようにさせ、集まった油滴が一定の重力に達すると、圧縮機の筐体の底部に素早く滴下することができ、圧縮機の油吐出量を効果的に低下し、内部の油循環の安定性が保証され、圧縮機のノイズを低下するのに有利である。
【０００９】
さらに、筐体からの油の流出を容易にするために、油孔は筐体の下部に設けられ、且つ気流通路内の気流の下流部分に位置する。
【００１０】
本願にて提供される上記消音装置によれば、以下のような付加的な技術的特徴を有してもよい。
【００１１】
上記技術的手段において、さらに、油孔は、筐体の側壁に設けられ、油ガイド部は、筐体の底壁に位置する。
【００１２】
当該技術的手段において、油孔は筐体の側壁に設けられ、筐体内の油の流出に便利である。油ガイド部は筐体の底壁に設けられ、油が油孔から流出した後、筐体の側壁に沿って筐体の底壁まで流れる。油ガイド部を筐体の底壁に設置することは、油に対する凝集作用を発揮するのにより有利であり、油を素早く滴下させ、さらに圧縮機の油吐出量を低下させる。勿論、油孔を筐体の底壁に設置してもよい。
【００１３】
上記何れかの技術的手段において、さらに、筐体は、吸気パイプと、排気パイプとを備え、吸気口は吸気パイプに設けられ、吸気パイプにより気流通路と連通されており、排気口は排気パイプにより気流通路と連通されており、油孔は、吸気パイプの吸気方向に沿った延在方向上に設けられている。
【００１４】
当該技術的手段において、筐体は、吸気パイプと、排気パイプとを備え、油孔は、吸気パイプの吸気方向に沿った延在方向上に設けられ、即ち、油孔が冷媒ガスの流れ方向に設けられる。冷媒ガスは、吸気口から入り、吸気パイプを介して気流通路へ流れるので、油孔をガスの流れ方向に設置することは、筐体内の油を排出するのにより有利である。
【００１５】
上記何れかの技術的手段において、さらに、消音装置は、筐体に設けられ、油孔の周辺側に位置する油バッフルをさらに備える。
【００１６】
当該技術的手段において、消音装置は、油孔の周辺側に位置する油バッフルをさらに備える。油が油孔から流出した後、油孔の近くに付着したり、ほかの場所に流れたりするので、筐体から排出された油が再び筐体に吸い込まれることを回避するために、油孔の周辺側に油バッフルを設置する。これにより、油が再び筐体内に吸い込まれることを防止する一方、油に対しバリアとして機能し、油を油ガイド部の方向に流れるようにさせる。
【００１７】
上記何れかの技術的手段において、さらに、油バッフルは、弧状であり、油孔の周方向に沿って設けられ、油バッフルには開口が設けられ、開口は油ガイド部に向かって設けられる。
【００１８】
当該技術的手段において、油バッフルは弧状であり、油孔の周方向に沿って設けられ、これにより油孔から流出した油に対しバリアとしての機能を最大限に発揮し、油が開口により油ガイド部に流れて油ガイド部の凝集下で素早く滴下する。勿論、油バッフルは、他の形状であってもよい。
【００１９】
上記何れかの技術的手段において、さらに、油孔の数は、少なくとも１つであり、油ガイド部の数は、少なくとも１つであり、油孔は、油ガイド部と１対１で対応するように設けられる。
【００２０】
当該技術的手段において、油孔の数は少なくとも１つであり、油ガイド部は油孔に対応しており、その数も少なくとも１つであり、これにより筐体内の油の流出を加速し、油の滴下も加速し、圧縮機の油吐出量をさらに減小する。
【００２１】
さらに、油ガイド部は、リブ又は溝であってもよい。
【００２２】
上記何れかの技術的手段において、さらに、油ガイド部の形状は、直方体、柱体、錐台、錐体の何れか１つである。
【００２３】
当該技術的手段において、油ガイド部の形状は様々であってもよく、例えば直方体、柱体、錐台、錐体であり、いずれも優れた凝集効果を奏し、油を素早く滴下させることができる。
【００２４】
さらに、油ガイド部の形状は、直方体又は円柱体である。
【００２５】
上記何れかの技術的手段において、さらに、油ガイド部は、直方体であり、直方体の油の滴下方向に沿う長さが、直方体の横断面の幅に等しい。
【００２６】
当該技術的手段において、油ガイド部は、直方体であり、且つ直方体の高さと幅が同じである場合、油ガイド部の油ガイド効果はよりよく、即ち、油ガイド部の油ガイド効果が向上し、さらに圧縮機の油吐出量が低下する。
【００２７】
さらに、油ガイド部の形状は、立方体である。
【００２８】
上記何れかの技術的手段において、さらに、油ガイド部は、錐台であり、錐台の横断面積は、油の滴下方向に沿って徐々に減少する。
【００２９】
当該技術的手段において、油ガイド部が錐台である場合、錐台の横断面積は油の滴下方向に沿って徐々に減少するため、油は油ガイド部に流れた後、面積の大きい一端から面積の小さい一端に集まって、油がよりよく凝集されてより速く滴下する。これにより、当該技術的手段を圧縮機内に適用する時、圧縮機の油吐出量を低下させる。
【００３０】
上記何れかの技術的手段において、さらに、錐台の油の滴下方向に沿う高さが、２ｍｍ以上３ｍｍ以下である。
【００３１】
当該技術的手段において、錐台の高さは、高すぎてはならず、高すぎると油に対する凝集効果が低下し、全体の高さとコストも増加する。また、錐台の高さは、低すぎてはならず、低すぎると油に対してよい凝集作用を奏することができないので、錐台の高さを２ｍｍ以上３ｍｍ以下に限定する。これにより、生産コストを低下するとともに、油に対する凝集作用を向上する。
【００３２】
上記何れかの技術的手段において、さらに、錐台は円錐台であり、円錐台の一方の底面の直径は１ｍｍ以上２ｍｍ以下であり、他方の底面の直径は０．５ｍｍ以上１ｍｍ以下である。
【００３３】
当該技術的手段において、錐台は、円錐台であり、円錐台の小さい底面の直径は、０．５ｍｍ以上１ｍｍ以下であり、円錐台の大きい底面の直径は、１ｍｍ以上２ｍｍ以下であり、これにより油に対する錐台の凝集効果が保証されるとともに、生産コストも低下される。
【００３４】
上記何れかの技術的手段において、さらに、錐台のドラフト角度は、１０°以上３０°以下である。
【００３５】
当該技術的手段において、錐台は、金型により製造することができ、錐台のドラフト角度は、１０°以上３０°以下であり、錐台の型抜きに有利である。
【００３６】
上記何れかの技術的手段において、さらに、筐体と油ガイド部は、一体構造又は分割構造である。
【００３７】
当該技術的手段において、筐体と油ガイド部は、一体構造又は分割構造であってもよい。筐体と油ガイド部が一体構造である場合、一体構造の力学性能がよく、接続が確実であり、これにより油ガイド部と筐体との接続がより確実になり、筐体と油ガイド部を一緒に製造することができ、さらに生産製造にも便利であり、生産コストが低下される。筐体と油ガイド部が分割構造である場合、油ガイド部と筐体の取り外しに便利である。
【００３８】
本願の第２の態様によれば、さらに圧縮機を提供し、該圧縮機は、ハウジングと、ハウジング内に設けられた上記何れかの技術的手段に記載の消音装置とを備え、消音装置から滴下した油が圧縮機の油プール内に落下することができる。
【００３９】
本願の第２の態様にて提供される圧縮機は、上記何れかの技術的手段に記載の消音装置を備えるので、前記消音装置の全ての有益な効果を有する。
【００４０】
具体的には、圧縮機は、往復式の圧縮機である。
【００４１】
本願の付加的な態様及び利点は以下の説明によって明確になり、又は本願を実施することで理解できる。
【００４２】
本願の上記及び／又は付加的な態様及び利点は、以下の図面を結合した実施例の説明から明確になり、容易に理解することができる。
【図面の簡単な説明】
【００４３】
【図１】図１は、本願に係る一実施例の消音装置の断面図を示す。
【図２】図２は、本願に係る一実施例の消音装置のもう１つの断面図を示す。
【図３】図３は、本願に係る一実施例の消音装置の構造概念図を示す。
【図４】図４は、本願に係る一実施例の消音装置のもう１つの構造概念図を示す。
【図５】図５は、本願に係る一実施例の消音装置のさらに別の構造概念図を示す。
【図６】図６は、本願に係る一実施例の消音装置のさらに他の構造概念図を示す。
【図７】図７は、本願に係る一実施例の消音装置のさらに他の構造概念図を示す。
【発明を実施するための形態】
【００４４】
本願の上記目的、特徴及び利点をより明確に理解できるように、以下、図面及び具体的な実施形態を参照しながら本願についてさらに詳しく説明する。なお、矛盾しない限り、本願の実施例及び実施例における特徴を組み合せることができる。
【００４５】
本願を十分に理解するように、以下の説明で多くの具体的な詳細を説明するが、本願はここで説明する形態と異なる形態で実施することもできるので、本願の保護範囲は以下で開示する具体的な実施例に限定されない。
【００４６】
以下図１から図７を参照しながら、本願のいくつかの実施例に記載の消音装置及び圧縮機を説明する。
【００４７】
本願の第１の態様の一実施例によれば、本願にて提出される消音装置は、気流通路１４により連通される吸気口１０と排気口１２が設けられ、内部には気流通路１４が設けられた筐体１と、筐体１に設けられ、筐体１内の油を排出する油孔２と、筐体１に設けられ、且つ筐体１の外側に位置し、油が油孔２から油ガイド部３まで流れた後に滴下するように、油の滴下方向に沿って油孔２の下方に設けられた油ガイド部３とを備える。
【００４８】
図１から図７に示すように、本願にて提供される消音装置は、筐体１と、筐体１に設けられた油孔２と、筐体１に設けられた油ガイド部３とを備え、筐体１には吸気口１０と排気口１２が設けられている。冷媒ガスは、吸気口１０から入り、気流通路１４を通過し、且つ気流通路１４内に油とガスを分離し、その後、排気口１２から流出し、分離された油が油孔２から流出する。油ガイド部３は、筐体１の外側に設けられ、油孔２の下方に位置するため、油が油孔２から流出した後、油ガイド部３に流れる。油ガイド部３は、油の表面吸着力を増加し、油をよりよく集まるようにさせ、集まった油滴が一定の重力に達すると、圧縮機の筐体１の底部に素早く滴入することができ、圧縮機の油吐出量を効果的に低下し、内部の油循環の安定性が保証され、圧縮機のノイズを低下するのに有利である。
【００４９】
さらに、筐体１からの油の流出を便利にするために、油孔２は筐体１の下部に設けられ、且つ気流通路１４内の気流の下流部分に位置する。
【００５０】
上記実施例において、さらに、油孔２は、筐体１の側壁に設けられ、油ガイド部３は、筐体１の底壁に位置する。
【００５１】
図３から図６に示すように、当該実施例において、油孔２は筐体１の側壁に設けられ、筐体１内の油の流出に便利である。また、油ガイド部３は、筐体１の底壁に設けられ、油が油孔２から流出した後、筐体１の側壁に沿って筐体１の底壁まで流れる。油ガイド部３を筐体１の底壁に設置することは、油に対する凝集作用を発揮するのにより有利であり、油を素早く滴下させ、さらに圧縮機の油吐出量を低下させる。勿論、油孔２を筐体１の底壁に設置してもよい。
【００５２】
上記何れかの実施例において、さらに、筐体１は、吸気パイプ１６と、排気パイプ１８とを備え、吸気口１０は吸気パイプ１６に設けられ、吸気パイプ１６により気流通路１４と連通されており、排気口１２は排気パイプ１８により気流通路１４と連通されており、油孔２は、吸気パイプ１６の吸気方向に沿った延在方向上に設けられる。
【００５３】
図１及び図２に示すように、当該実施例において、筐体１は、吸気パイプ１６と、排気パイプ１８とを備え、油孔２は、吸気パイプ１６の吸気方向に沿った延在方向上に設けられ、即ち、油孔２が冷媒ガスの流れ方向に設けられる。冷媒ガスは、吸気口１０から入り、吸気パイプ１６を介して気流通路１４へ流れるので、油孔２をガスの流れ方向に設置することは、筐体１内の油を排出するのにより有利である。
【００５４】
上記何れかの実施例において、さらに、消音装置は、筐体１に設けられ、油孔２の周辺側に位置する油バッフル４をさらに備える。
【００５５】
図３から図７に示すように、当該実施例において、油孔２の周辺側に位置する油バッフル４をさらに備え、油は油孔２から流出した後、油孔２の近くに付着したり、ほかの場所に流れたりするので、筐体１から排出された油が再び筐体１に吸い込まれることを回避するために、油孔２の周辺側に油バッフル４を設置する。これにより、油が再び筐体１内に吸い込まれることを防止する一方、油に対しバリアとして機能し、油が油ガイド部３の方向に流れるようにさせる。
【００５６】
上記何れかの実施例において、さらに、油バッフル４は、弧状であり、油孔２の周方向に沿って設けられ、油バッフル４には開口が設けられ、開口は油ガイド部３に向かって設けられる。
【００５７】
図３から図６に示すように、当該実施例において、油バッフル４は、弧状であり、油孔２の周方向に沿って設けられ、これにより油孔２から流出した油に対しバリアとしての機能を最大限に発揮し、油が開口により油ガイド部３に流れて油ガイド部３の凝集下で素早く滴下することができる。勿論、油バッフル４は、他の形状であってもよい。
【００５８】
上記何れかの実施例において、さらに、油孔２の数は少なくとも１つであり、油ガイド部３の数は少なくとも１つであり、油孔２は、油ガイド部３と１対１で対応するように設けられる。
【００５９】
当該実施例において、油孔２の数は少なくとも１つであり、油ガイド部３は油孔２に対応しており、その数も少なくとも１つであり、これにより筐体１内の油の流出を加速し、油の滴下も加速し、圧縮機の油吐出量をさらに減小する。
【００６０】
さらに、油ガイド部３は、リブ又は溝であってもよい。
【００６１】
上記何れかの実施例において、さらに、油ガイド部３の形状は、直方体、柱体、錐台、錐体の何れか１つである。
【００６２】
図４から図６に示すように、当該実施例において、油ガイド部３の形状は様々であってもよく、例えば直方体、柱体、錐台、錐体であり、いずれも優れた凝集効果を奏し、油を素早く滴下させることができる。
【００６３】
さらに、油ガイド部３の形状は、直方体又は円柱体である。
【００６４】
上記何れかの実施例において、さらに、油ガイド部３は、直方体であり、直方体は、油の滴下方向に沿う長さが、直方体の横断面の幅に等しい。
【００６５】
当該実施例において、油ガイド部３は、直方体であり、且つ直方体の高さと幅が同じである場合、油ガイド部３の油ガイド効果がよりよく、即ち、油ガイド部３の油ガイド効果が向上され、圧縮機の油吐出量がさらに低下される。
【００６６】
さらに、油ガイド部３の形状は、立方体である。
【００６７】
上記何れかの実施例において、さらに、油ガイド部３は、錐台であり、錐台の横断面積は、油の滴下方向に沿って徐々に減少する。
【００６８】
図５及び図６に示すように、当該実施例において、油ガイド部３が錐台である場合、錐台の横断面積は油の滴下方向に沿って徐々に減少するため、油は油ガイド部３に流れた後、面積の大きい一端から面積の小さい一端に集まって、油がより良く凝集されてより速く滴下する。これにより、それを圧縮機内に適用する時、圧縮機の油吐出量を低下することができる。
【００６９】
上記何れかの実施例において、さらに、錐台は、油の滴下方向に沿う高さが、２ｍｍ以上３ｍｍ以下である。
【００７０】
当該実施例において、錐台の高さは、高すぎてはならなく、高すぎると油に対する凝集効果が低下し、全体の高さとコストも増加する。また、錐台の高さは、低すぎてはならなく、低すぎると油に対してよい凝集作用を奏することができないので、錐台の高さを２ｍｍ以上３ｍｍ以下に限定する。これにより、生産コストを低下するとともに、油に対する凝集作用を向上することができる。
【００７１】
上記何れかの実施例において、さらに、錐台は、円錐台であり、円錐台の一方の底面の直径は、１ｍｍ以上２ｍｍ以下であり、他方の底面の直径は０．５ｍｍ以上１ｍｍ以下である。
【００７２】
当該実施例において、錐台は、円錐台であり、円錐台の小さい底面の直径は、０．５ｍｍ以上１ｍｍ以下であり、円錐台の大きい底面の直径は、１ｍｍ以上２ｍｍ以下であり、これにより油に対する錐台の凝集効果が保証されるとともに、生産コストも低下される。
【００７３】
上記何れかの実施例において、さらに、錐台のドラフト角度は、１０°以上３０°以下である。
【００７４】
当該実施例において、錐台は、金型により製造することができ、錐台のドラフト角度は、１０°以上３０°以下であり、錐台の脱型に有利である。
【００７５】
上記何れかの実施例において、さらに、筐体１と油ガイド部３は、一体構造又は分割構造であってもよい。
【００７６】
当該実施例において、筐体１と油ガイド部３は、一体構造又は分割構造であってもよい。筐体１と油ガイド部３が一体構造である場合、一体構造の力学性能がよく、接続が確実であり、これにより油ガイド部３と筐体１との接続がより確実になり、筐体１と油ガイド部３を一緒に製造することができ、さらに生産製造にも便利であり、生産コストが低下される。筐体１と油ガイド部３が分割構造である場合、油ガイド部３と筐体１の着脱に便利である。
【００７７】
本願の第２の態様によれば、圧縮機（図示略）を提供し、該圧縮機は、ハウジングと、ハウジング内に設けられた上記何れかの実施例に記載の消音装置とを備え、消音装置から滴下した油が圧縮機の油プール内に落下することができる。
【００７８】
本願の第２の態様にて提供される圧縮機は、上記何れか１つの実施例に記載の消音装置を備えるので、消音装置の全ての有益な効果を有する。
【００７９】
具体的には、圧縮機は、往復式の圧縮機である。
【００８０】
本願において、特に断らない限り、用語「複数」は２つ又は２つ以上である。「取り付け」、「連結」、「接続」、「固定」などの用語はいずれも広義に理解されるべきであり、例えば、「接続」は、固定的に接続されてもよいし、着脱可能に接続されてもよく、又は一体的に接続されてもよい。「連結」は、直接連結されてもよいし、中間媒介を介して間接的に接続されてもよい。当業者であれば、具体的な状況に基づいて本願における上記の用語の具体的な意味を理解することができる。
【００８１】
本明細書の説明において、用語である「一実施例」、「いくつかの実施例」、「具体的な例示」などの記述は、当該実施例又は例示に記載された具体的な特徴、構造、材料又は特点を参照して本願の少なくとも１つの実施例又は例示に含まれることを意図する。本明細書において、上記用語の例示的な記述は同一の実施例又は例示を必ずしも意味しない。さらに、記載された具体的な特徴、構造、材料又は特長はいずれかの１つ又は複数の実施例又は例示において適当な方式で組み合わせることができる。
【００８２】
以上は、本願の好適な実施例に過ぎず、本願を限定するものではない。当業者であれば、本願に様々な修正や変更が可能である。本願の趣旨及び原則を逸脱しない範囲でなされたすべての修正、均等置換、改良などは、いずれも本願の保護範囲に含まれるものとする。
【００８３】
なお、図１から図７における符号と部材名称との対応関係は、以下の通りである。
【符号の説明】
【００８４】
１  筐体
１０  吸気口
１２  排気口
１４  気流通路
１６  吸気パイプ
１８  排気パイプ
２  油孔
３  油ガイド部
４  油バッフル
【図１】
2021529284.tif 000003
【図２】
2021529284.tif 000004
【図３】
2021529284.tif 000005
【図４】
2021529284.tif 000006
【図５】
2021529284.tif 000007
【図６】
2021529284.tif 000008
【図７】
2021529284.tif 000009
【国際調査報告】
2021529284.tif 000010
2021529284.tif 000011
2021529284.tif 000012
2021529284.tif 000013
2021529284.tif 000014